(57)【特許請求の範囲】
【請求項１】
それぞれ対応する駐車場運営会社が管理する駐車場に駐車している車両の駐車料金の精算処理を行う複数の管理サーバ装置と、
前記駐車料金の精算に用いられる画面を端末装置に提供し、前記管理サーバ装置とは独立して設けられたアプリサーバ装置と、
前記駐車場の利用者によって使用され、前記精算処理に必要な情報を前記アプリサーバ装置に送信する前記端末装置と
を用いて行う駐車精算処理方法であって、
前記アプリサーバ装置が前記端末装置に表示した第1の画面を用いた前記利用者による前記端末装置の操作により精算指示が入力されると、前記アプリサーバ装置が前記管理サーバ装置に、前記利用者の駐車車両を駐車した駐車場を識別する駐車場識別情報及び前記車両を駐車した車室を識別する車室識別情報又は車両識別情報を送信する第１の工程と、
前記第１の工程で前記管理サーバ装置が受信した前記駐車場識別情報及び前記車室識別情報又は車両識別情報を基に、駐車料金の計算を行い、当該計算した駐車料金を前記アプリサーバ装置に送信する第２の工程と、
前記アプリサーバ装置が、前記第２の工程で受信した前記駐車料金を含む第２の画面を前記端末装置に表示する第３の工程と、
前記端末装置の前記第２の画面上で、前記利用者が入力した支払い指示を前記端末装置が前記アプリサーバ装置に送信する第４の工程と、
前記管理サーバ装置は、前記第４の工程で受信した支払い指示を基に、前記第２の工程で計算した駐車料金の決済処理を行う第５の工程と、
前記第５の工程で前記決済処理が成功すると、前記管理サーバ装置から前記アプリサーバ装置に決済成功通知を送信し、前記アプリサーバ装置が前記決済成功通知を受けると、当該決済成功通知を前記端末装置に表示させる第６の工程と
を有する駐車場精算方法。
【請求項２】
前記管理サーバ装置または前記端末装置が、前記第５の工程で前記決算処理が終了した場合、前記車両の出庫を制限する出庫制限装置を制御して、前記車両の出庫の制限を解除する第６の工程
をさらに有する請求項１に記載の駐車場精算方法。
【請求項３】
前記管理サーバ装置は、前記出庫制限装置から受信した入庫通知の時刻と、前記端末装置で前記精算指示が出された時刻を基に、前記車両の駐車料金を計算する
請求項２に記載の駐車場精算方法。
【請求項４】
それぞれ対応する駐車場運営会社が管理する駐車場に駐車している車両の駐車料金の精算処理を行う複数の管理サーバ装置と、
前記駐車場の利用者によって使用され、前記精算処理に必要な情報が入力される端末装置と、
通信を行い、前記駐車料金の精算に用いられる画面を前記端末装置に提供し、前記管理サーバ装置とは独立して設けられたアプリサーバ装置で実行されるプログラムであって、
前記利用者が精算指示を行うための第１の画面を前記端末装置に表示させる第１の工程と、
前記第1の画面を用いた前記利用者による前記端末装置の操作により精算指示が入力されると、前記端末装置から受信した前記利用者の駐車車両の駐車場識別情報及び車室識別情報又は車両識別情報を前記管理サーバ装置に送信する第２の工程と、
前記駐車場識別情報及び前記車室識別情報又は車両識別情報を基に前記管理サーバ装置が計算した駐車料金情報を前記管理サーバ装置から受信すると、当該駐車料金情報を含む第２の画面を前記端末装置に表示させる第３の工程と、
前記端末装置の前記第２の画面上で、前記利用者が支払い指示を行うと、当該支払い指示を前記管理サーバ装置に送信する第４の工程と、
前記第４の工程の後に、前記管理サーバ装置から決済処理が成功した旨の通知を受けると、当該通知を前記端末装置に表示させる第５の工程と
を前記アプリサーバ装置に実行させるプログラム。
【請求項５】
前記第２の工程は、前記精算指示が入力されると、前記駐車場識別情報及び前記車室識別情報又は車両識別情報を入力するための入力欄を前記端末装置に表示し、当該入力欄に入力された前記駐車場識別情報及び前記車室識別情報又は車両識別情報を前記管理サーバ装置に送信する
請求項４に記載のプログラム。
【請求項６】
前記第１の画面は、地図表示領域と、前記端末装置の位置の周辺の駐車場を地図上で表示するための第１の指示入力画像と、道路ナビゲーション動作に切り換え指示を入力するための第２の指示入力画像と、前記精算指示を入力するための第３の指示入力画像とを含み、
前記第２の工程は、前記第３の指示入力画像が指定操作されると、前記駐車場識別情報及び前記車室識別情報又は車両識別情報を前記管理サーバ装置に送信する
請求項４又は請求項５に記載のプログラム。
【請求項７】
前記第２の画面は、前記駐車料金情報と、支払い指示を入力するための第４の指示入力画像とを含み、
前記第４の工程は、前記第４の指示入力画像が指定操作されると、支払い指示を前記管理サーバ装置に送信する
請求項４〜６のいずれかに記載のプログラム。
【請求項８】
複数の前記管理サーバ装置と通信を行い、
前記第２の工程は、
前記端末装置から受信した前記駐車場識別情報を基に、当該駐車場識別情報に対応する前記管理サーバ装置を特定し、当該特定した管理サーバ装置に、前記駐車場識別情報及び前記車室識別情報又は車両識別情報を送信する
請求項４〜７のいずれかに記載のプログラム。
【請求項９】
それぞれ対応する駐車場運営会社が管理する駐車場に駐車している車両の駐車料金の精算処理を行う複数の管理サーバ装置と、
前記駐車料金の精算に用いられる画面を端末装置に提供し、前記管理サーバ装置とは独立して設けられたアプリサーバ装置と、
前記駐車場の利用者によって使用され、前記精算処理に必要な情報を前記アプリサーバ装置に送信する前記端末装置と
を有し、
前記アプリサーバ装置が前記端末装置に表示した第1の画面を用いた前記利用者による前記端末装置の操作により精算指示が入力されると、前記アプリサーバ装置が前記管理サーバ装置に、前記利用者の駐車車両を駐車した駐車場を識別する駐車場識別情報及び前記車両を駐車した車室を識別する車室識別情報又は車両識別情報を送信する第１の工程と、
前記第１の工程で前記管理サーバ装置が受信した前記駐車場識別情報及び前記車室識別情報又は車両識別情報を基に、駐車料金の計算を行い、当該計算した駐車料金を前記アプリサーバ装置に送信する第２の工程と、
前記アプリサーバ装置が、前記第２の工程で受信した前記駐車料金を含む第２の画面を前記端末装置に表示する第３の工程と、
前記端末装置の前記第２の画面上で、前記利用者が入力した支払い指示を前記端末装置が前記アプリサーバ装置に送信する第４の工程と、
前記管理サーバ装置は、前記第４の工程で受信した支払い指示を基に、前記第２の工程で計算した駐車料金の決済処理を行う第５の工程と、
前記第５の工程で前記決済処理が成功すると、前記管理サーバ装置から前記アプリサーバ装置に決済成功通知を送信し、前記アプリサーバ装置が前記決済成功通知を受けると、当該決済成功通知を前記端末装置に表示させる第６の工程と
を実行する駐車場精算システム。
【請求項１０】
それぞれ対応する駐車場運営会社が管理する駐車場に駐車している車両の駐車料金の精算処理を行う複数の管理サーバ装置と、
前記駐車場の利用者によって使用され、前記精算処理に必要な情報が入力される端末装置と、
通信を行い、前記駐車料金の精算に用いられる画面を前記端末装置に提供し、前記管理サーバ装置とは独立して設けられたアプリサーバ装置であって、
前記利用者が精算指示を行うための第１の画面を前記端末装置に表示させる第１の工程と、
前記第1の画面を用いた前記利用者による前記端末装置の操作により精算指示が入力されると、前記端末装置から受信した前記利用者の駐車車両の駐車場識別情報及び車室識別情報又は車両識別情報を前記管理サーバ装置に送信する第２の工程と、
前記駐車場識別情報及び前記車室識別情報又は車両識別情報を基に前記管理サーバ装置が計算した駐車料金情報を前記管理サーバ装置から受信すると、当該駐車料金情報を含む第２の画面を前記端末装置に表示させる第３の工程と、
前記端末装置の前記第２の画面上で、前記利用者が支払い指示を行うと、当該支払い指示を前記管理サーバ装置に送信する第４の工程と、
前記第４の工程の後に、前記管理サーバ装置から決済処理が成功した旨の通知を受けると、当該通知を前記端末装置に表示させる第５の工程と
を実行するアプリサーバ装置。
【発明の詳細な説明】
【技術分野】
【０００１】
本発明は、駐車場の費用の精算を行う駐車場精算システム、その方法、そのプログラム及びサーバ装置に関するものである。
【背景技術】
【０００２】
スマートフォンのアプリから空き駐車場を検索し、利用後の駐車代を登録済みのクレジットカートから自動で精算するシステムがある。
駐車場管理システムは、駐車場に駐車している車両の出庫を制限するフラップ装置とネットワークを介して通信を行うことでフラップ装置を制御する管理サーバ装置と、車両の駐車料金の精算処理に必要な決済情報をサーバ装置に送信する端末装置とを備える。管理サーバ装置または端末装置は、車両の駐車料金の精算処理が終了した場合、フラップ装置を制御して、車両の出庫を可能にする。
【先行技術文献】
【特許文献】
【０００３】
【特許文献１】特開２０１９−１１４０７０号公報
【発明の概要】
【発明が解決しようとする課題】
【０００４】
上述した従来のシステムでは、駐車場のフラップ装置の制御を行う管理サーバ装置が端末装置と直接通信をして、駐車料金の精算処理を行うため、管理サーバ装置を運用する管理事業者毎にサービスを提供することになる。そのため、駐車場を管理する管理事業者毎にサービスを利用することになり、不便であるという問題がある。
また、上述した従来のシステムでは、端末装置に表示される操作画面についての開示がない。
【０００５】
本発明はかかる事情に鑑みてなされたものであり、その目的は、駐車場の複数の管理事業者がある場合でも、一つのサービスで駐車料金の精算を端末装置で容易に行うことができる駐車場精算システム、その方法、そのプログラム及びサーバ装置を提供することにある。
また、本発明は、駐車料金精算に適した画面を端末装置に提供できるプログラムを提供することにある。
【課題を解決するための手段】
【０００６】
上述した従来技術の問題点を解決し、上述した目的を達成するために、本発明の駐車場精算方法は、それぞれ対応する駐車場運営会社が管理する駐車場に駐車している車両の駐車料金の精算処理を行う複数の管理サーバ装置と、前記駐車料金の精算に用いられる画面を端末装置に提供し、前記管理サーバ装置とは独立して設けられたアプリサーバ装置と、前記駐車場の利用者によって使用され、前記精算処理に必要な情報を前記アプリサーバ装置に送信する前記端末装置とを用いて行う駐車精算処理方法であって、前記アプリサーバ装置が前記端末装置に表示した第1の画面を用いた前記利用者による前記端末装置の操作により精算指示が入力されると、前記アプリサーバ装置が前記管理サーバ装置に、前記利用者の駐車車両を駐車した駐車場を識別する駐車場識別情報及び前記車両を駐車した車室を識別する車室識別情報又は車両識別情報を送信する第１の工程と、前記第１の工程で前記管理サーバ装置が受信した前記駐車場識別情報及び前記車室識別情報又は車両識別情報を基に、駐車料金の計算を行い、当該計算した駐車料金を前記アプリサーバ装置に送信する第２の工程と、前記アプリサーバ装置が、前記第２の工程で受信した前記駐車料金を含む第２の画面を前記端末装置に表示する第３の工程と、前記端末装置の前記第２の画面上で、前記利用者が入力した支払い指示を前記端末装置が前記アプリサーバ装置に送信する第４の工程と、前記管理サーバ装置は、前記第４の工程で受信した支払い指示を基に、前記第２の工程で計算した駐車料金の決済処理を行う第５の工程と、前記第５の工程で前記決済処理が成功すると、前記管理サーバ装置から前記アプリサーバ装置に決済成功通知を送信し、前記アプリサーバ装置が前記決済成功通知を受けると、当該決済成功通知を前記端末装置に表示させる第６の工程とを有する。
【０００７】
好適には、前記管理サーバ装置または前記端末装置が、前記第５の工程で前記決算処理が終了した場合、前記車両の出庫を制限する出庫制限装置を制御して、前記車両の出庫の制限を解除する第６の工程をさらに有する。
【０００８】
好適には、前記管理サーバ装置は、前記出庫制限装置から受信した入庫通知の時刻と、前記端末装置で前記精算指示が出された時刻を基に、前記車両の駐車料金を計算する。
【０００９】
本発明のプログラムは、それぞれ対応する駐車場運営会社が管理する駐車場に駐車している車両の駐車料金の精算処理を行う複数の管理サーバ装置と、前記駐車場の利用者によって使用され、前記精算処理に必要な情報が入力される端末装置と、通信を行い、前記駐車料金の精算に用いられる画面を前記端末装置に提供し、前記管理サーバ装置とは独立して設けられたアプリサーバ装置で実行されるプログラムであって、前記利用者が精算指示を行うための第１の画面を前記端末装置に表示させる第１の工程と、前記第1の画面を用いた前記利用者による前記端末装置の操作により精算指示が入力されると、前記端末装置から受信した前記利用者の駐車車両の駐車場識別情報及び車室識別情報又は車両識別情報を前記管理サーバ装置に送信する第２の工程と、前記駐車場識別情報及び前記車室識別情報又は車両識別情報を基に前記管理サーバ装置が計算した駐車料金情報を前記管理サーバ装置から受信すると、当該駐車料金情報を含む第２の画面を前記端末装置に表示させる第３の工程と、前記端末装置の前記第２の画面上で、前記利用者が支払い指示を行うと、当該支払い指示を前記管理サーバ装置に送信する第４の工程と、前記第４の工程の後に、前記管理サーバ装置から決済処理が成功した旨の通知を受けると、当該通知を前記端末装置に表示させる第５の工程とを前記アプリサーバ装置に実行させる。
【００１０】
好適には、前記第２の工程は、前記精算指示が入力されると、前記駐車場識別情報及び前記車室識別情報又は車両識別情報を入力するための入力欄を前記端末装置に表示し、当該入力欄に入力された前記駐車場識別情報及び前記車室識別情報又は車両識別情報を前記管理サーバ装置に送信する。
【００１１】
好適には、前記第１の画面は、地図表示領域と、前記端末装置の位置の周辺の駐車場を地図上で表示するための第１の指示入力画像と、道路ナビゲーション動作に切り換え指示を入力するための第２の指示入力画像と、前記精算指示を入力するための第３の指示入力画像とを含み、前記第２の工程は、前記第３の指示入力画像が指定操作されると、前記駐車場識別情報及び前記車室識別情報又は車両識別情報を前記管理サーバに送信する。
【００１２】
好適には、前記第２の画面は、前記駐車料金情報と、支払い指示を入力するための第４の指示入力画像とを含み、前記第４の工程は、前記第４の指示入力画像が指定操作されると、支払い指示を前記管理サーバに送信する。
【００１３】
好適には、複数の前記管理サーバ装置と通信を行い、前記第２の工程は、前記端末装置から受信した前記駐車場識別情報を基に、当該駐車場識別情報に対応する前記管理サーバ装置を特定し、当該特定した管理サーバ装置に、前記駐車場識別情報及び前記車室識別情報又は車両識別情報を送信する。
【００１６】
本発明の駐車場精算システムは、それぞれ対応する駐車場運営会社が管理する駐車場に駐車している車両の駐車料金の精算処理を行う複数の管理サーバ装置と、前記駐車料金の精算に用いられる画面を端末装置に提供し、前記管理サーバ装置とは独立して設けられたアプリサーバ装置と、前記駐車場の利用者によって使用され、前記精算処理に必要な情報を前記アプリサーバ装置に送信する前記端末装置とを有し、前記アプリサーバ装置が前記端末装置に表示した第1の画面を用いた前記利用者による前記端末装置の操作により精算指示が入力されると、前記アプリサーバ装置が前記管理サーバ装置に、前記利用者の駐車車両を駐車した駐車場を識別する駐車場識別情報及び前記車両を駐車した車室を識別する車室識別情報又は車両識別情報を送信する第１の工程と、前記第１の工程で前記管理サーバ装置が受信した前記駐車場識別情報及び前記車室識別情報又は車両識別情報を基に、駐車料金の計算を行い、当該計算した駐車料金を前記アプリサーバ装置に送信する第２の工程と、前記アプリサーバ装置が、前記第２の工程で受信した前記駐車料金を含む第２の画面を前記端末装置に表示する第３の工程と、前記端末装置の前記第２の画面上で、前記利用者が入力した支払い指示を前記端末装置が前記アプリサーバ装置に送信する第４の工程と、前記管理サーバ装置は、前記第４の工程で受信した支払い指示を基に、前記第２の工程で計算した駐車料金の決済処理を行う第５の工程と、前記第５の工程で前記決済処理が成功すると、前記管理サーバ装置から前記アプリサーバ装置に決済成功通知を送信し、前記アプリサーバ装置が前記決済成功通知を受けると、当該決済成功通知を前記端末装置に表示させる第６の工程とを実行する。
【００１７】
本発明のアプリサーバ装置は、それぞれ対応する駐車場運営会社が管理する駐車場に駐車している車両の駐車料金の精算処理を行う複数の管理サーバ装置と、前記駐車場の利用者によって使用され、前記精算処理に必要な情報が入力される端末装置と、通信を行い、前記駐車料金の精算に用いられる画面を前記端末装置に提供し、前記管理サーバ装置とは独立して設けられたアプリサーバ装置であって、前記利用者が精算指示を行うための第１の画面を前記端末装置に表示させる第１の工程と、前記第1の画面を用いた前記利用者による前記端末装置の操作により精算指示が入力されると、前記端末装置から受信した前記利用者の駐車車両の駐車場識別情報及び車室識別情報又は車両識別情報を前記管理サーバ装置に送信する第２の工程と、前記駐車場識別情報及び前記車室識別情報又は車両識別情報を基に前記管理サーバ装置が計算した駐車料金情報を前記管理サーバ装置から受信すると、当該駐車料金情報を含む第２の画面を前記端末装置に表示させる第３の工程と、前記端末装置の前記第２の画面上で、前記利用者が支払い指示を行うと、当該支払い指示を前記管理サーバ装置に送信する第４の工程と、前記第４の工程の後に、前記管理サーバ装置から決済処理が成功した旨の通知を受けると、当該通知を前記端末装置に表示させる第５の工程とを実行する。
【発明の効果】
【００１８】
本発明によれば、駐車場の複数の管理事業者がある場合でも、一つのサービスで駐車料金の精算を端末装置で容易に行うことができる駐車場精算システム、その方法、そのプログラム及びサーバ装置を提供することができる。
また、本発明によれば、駐車料金精算に適した画面を端末装置に提供できるプログラムを提供することができる。
【図面の簡単な説明】
【００１９】
【図１】図１は、本発明の実施形態に係る駐車場精算システム１の全体構成図である。
【図２】図２は、図１に示す各構成要素の機能ブロック図である。
【図３】図３は、図２に示す端末装置２１に表示される第１の画面を説明するための図である。
【図４】図４は、図２に示す端末装置２１に表示される第２の画面１４０−１を説明するための図である。
【図５】図５は、図２に示す端末装置２１に表示される第２の画面１４０−２を説明するための図である。
【図６】図６は、図２に示す端末装置２１に表示される車室番号入力欄１４３を説明するための図である。
【図７】図７は、図２に示す端末装置２１に表示される第２の画面１４０−１を説明するための図である。
【図８】図８は、図２に示す端末装置２１に表示されるサービス券確認画面１６１を説明するための図である。
【図９】図９は、図２に示す端末装置２１に表示されるネット決済確認画面１８１を説明するための図である。
【図１０】図１０は、図２に示す端末装置２１に表示される利用履歴画面１９１を説明するための図である。
【図１１】図１１は、図２に示す端末装置２１に表示される利用履歴画面１９１を説明するための図である。
【図１２】図１２は、図２に示す端末装置２１に表示される利用履歴詳細画面２０１を説明するための図である。
【図１３】図１３は、図１に示す駐車場精算システム１の全体動作を説明するための図である。
【図１４】図１４は、図１に示す駐車場精算システム１の全体動作を説明するための図である。
【発明を実施するための形態】
【００２０】
以下、本発明の実施形態に関する駐車場精算システムについて説明する。
図１は、本発明の実施形態に係る駐車場精算システム１の全体構成図である。
駐車場精算システム１は、自動車等の車両のドライバである利用者が、移動先の所定の場所で時間貸しの駐車場を検索し、当該検索した駐車場に車両を移動して駐車し、出庫時に精算する際に用いられる。
【００２１】
図１に示すように、駐車場精算システム１は、例えば、管理サーバ装置１３、決済サーバ装置１５、フラップ装置１７、端末装置２１及びアプリサーバ装置２３を有する。
管理サーバ装置１３、決済サーバ装置１５、フラップ装置１７、端末装置２１及びアプリサーバ装置２３は、ネットワークを介して相互に通信可能である。
【００２２】
管理サーバ装置１３は、例えば、フラップ装置１７の入庫、出庫及び精算を管理する管理会社が運用している。
決済サーバ装置１５は、各種クレジットカード会社である。
端末装置２１は、利用者の例えば、スマートフォンであり、その他、タブレット端末、PDA (Personal Digital Assistant)、携帯型ゲーム機など、ネットワークを介した通信を行う機器である。
アプリサーバ装置２３は、駐車場提供・精算サービスを提供する会社が運用する。
通常は、アプリサーバ装置２３は、管理サーバ装置１３とは異なる会社が運用している。
【００２３】
端末装置２１は複数である。また、管理サーバ装置１３及び決済サーバ装置１５は、単数複数いずれでもよい。
【００２４】
［管理サーバ装置１３］
管理サーバ１３は、例えば、自らが管理する駐車場内に設置されたフラップ装置１７と通信を行い、１以上の駐車場の空き情報および予約情報を管理する。また、管理サーバ１２は、駐車された自動車の駐車料金を管理するとともに、決済サーバ装置１５と通信をして駐車料金の決済処理も行う。
【００２５】
図２は、図１に示す各構成要素の機能ブロック図である。
図２に示すように、管理サーバ装置１３は、例えば、通信部５１、メモリ５３及び処理部５５を有する。
管理サーバ装置１３の処理部５５は、フラップ装置１７から受信した入庫通知に含まれる駐車場ＩＤ及び車室ＩＤと、入庫時刻情報とを関連付けて入庫情報としてメモリ５３に記録する。当該入庫時刻情報は、フラップ装置１７のタイマで生成して入庫通知に含まれたものを用いてもよいし、管理サーバ装置１３のタイマを用いて入庫通知の受信時刻を基に生成してもよい。
【００２６】
処理部５５は、アプリサーバ装置２３から受信した駐車料金計算要求に含まれる駐車場ＩＤと車室ＩＤと、メモリ５３に記録された入庫時刻情報とを基に、当該車両の駐車料金を計算する。
処理部５５は、上記計算した駐車料金情報を含む駐車料金通知をアプリサーバ装置２３に送信する。
【００２７】
管理サーバ装置１３の処理部５５は、アプリサーバ装置２３から通信部５１が受信した支払い指示を基に、指定された決済先の決済サーバ装置１５と通信をして決済処理を行う。
また、処理部５５は、決済処理が終了すると、決済結果を示す決済完了通知をアプリサーバ装置２３を介して端末装置２１に送信する。
また、処理部５５は、決済に関係する利用者の車両が駐車された駐車場の車室のフラップ装置１７にフラップ下降指示を出力する。
【００２８】
［フラップ装置１７］
フラップ装置１７は、駐車場内において、各駐車スペース（車室）毎に設置さている。フラップ装置１７は、自動車が駐車された状態で自動車の移動を制限するためのフラップ板を有する。駐車場は複数の自動車が駐車可能なスペースがあり、駐車場には、複数のフラップ装置１７が設けられている。
【００２９】
図２に示すように、フラップ装置１７は、例えば、フラップ４１、車両検出センサ４３、通信部４５、及び処理部４７を有する。
処理部４７は、管理サーバ装置１３から通信部４５が受信したフラップ下降指示を基に、フラップ４１を下降させ、出庫可能にする。
【００３０】
［端末装置２１］
前述したように、端末装置２１は、利用者が使用するスマートフォン等の通信装置である。
端末装置２１は、図２に示すように、例えば、操作部７１、ディスプレイ７３、通信部７５、メモリ７７及び処理部７９を有する。
【００３１】
端末装置２１には、駐車場提供・精算サービス専用のアプリケーションプログラム（以下、専用アプリと称する。）がインストールされており、その専用アプリを実行することにより、後述する機能が実現される。
【００３２】
なお、端末装置２１に専用アプリをインストールするのではなく、ウェブサーバにアクセスし、当該ウェブサーバとの間で所定の情報をやりとりすることが可能なブラウザソフトウエアをインストールし、当該ブラウザソフトウエアを介して管理サーバ１３と通信することで、専用アプリと同様の機能を実現することもできる。
以下に示す端末装置２１の機能は、例えば、上述した専用アプリとアプリサーバ装置２３とが通信しながら協働して実現される。
【００３３】
端末装置２１の処理部７９は、専用アプリの起動中のトップ画面として、図３に示す第１の画面１２１をディスプレイ７３に表示する。
第１の画面１２１は、例えば、地図表示領域１３１と、端末装置２１の位置の周辺の駐車場を地図上で表示するための第１の指示入力画像１３３と、道路ナビゲーション動作に切り換え指示を入力するための第２の指示入力画像１３５と、精算指示を入力するための第３の指示入力画像１３７とを有する。
【００３４】
処理部７９は、第１の画面１２１上で第３の指示入力画像１３７が指定操作されると、図４に示す第２の画面１４０−１をディスプレイ７３に表示する。
第２の画面１４０−１には、利用者の車両を駐車した駐車場の地図情報表示欄１４１、その駐車場名を入力するための駐車場名入力欄１４２、車両を駐車した車室番号を入力するための車室番号入力欄１４３、サービス券情報を表示するためのサービス券表示欄１４４、料金確認指示入力欄１４５が表示されている。
【００３５】
処理部７９は、図４に示す第２の画面１４０−１の駐車場名入力欄１４２、車室番号入力欄１４３及びサービス券入力欄１４４のそれぞれに対応する情報が入力（指定）された後に、料金確認指示入力欄１４５が指定されると、入力された情報に対応する駐車場ＩＤ、車室ＩＤ、サービス券情報を含む駐車料金計算要求を通信部７５を介してアプリサーバ装置２３に送信する。
【００３６】
処理部７９は、通信部７５がアプリサーバ装置２３から駐車料金通知を受信すると、図５に示す第２の画面１４０−２をディスプレイ７３に表示する。
第２の画面１４０−２には、利用者の車両を駐車した駐車場の地図情報表示欄１５１、その駐車場名の駐車場名表示欄１５２、車両を駐車した車室番号を表示する車室番号表示欄１５３、サービス券情報を表示するためのサービス券表示欄１５４、支払金額表示欄１５５、入出庫時刻表示欄１５６、決済方法入力欄１５７、料金再確認指示入力欄１５８、支払指示入力欄１５９が表示されている。
処理部７９は、アプリサーバ装置２３から受信した駐車料金通知が示す駐車料金を支払金額表示欄１５５に表示する。
【００３７】
処理部７９は、決済方法入力欄１５７に決済方法が入力されると、当該入力された決済方法情報を含む支払い指示を、通信部７５を介してアプリサーバ装置２３に送信する。
また、処理部７９は、サービス券表示欄１５４で使用するサービス券が利用者によって指定された場合には、サービス券表示欄１５４に指定されたサービス券情報を表示すると共に、アプリサーバ装置２３から受信した駐車料金通知が示す駐車料金を支払額として支払金額表示欄１５５に表示する。
なお、駐車料金から、指定されたサービス券の金額を差し引いた額を支払い金額として支払金額表示欄１５５に表示するようにしてもよい。
【００３８】
処理部７９は、第２の画面１４０−２上で支払指示入力欄１５９が指定されると、図６に示す確認画面１４０−３をディスプレイ７３に表示し、利用者の確認操作（「ｏｋ」を指定操作）を経て、第２の画面１４０−２で指定されたサービス券情報と決済方法情報とを含む支払い指示を、通信部７５を介してアプリサーバ装置２３に送信する。
【００３９】
端末装置２１の処理部７９は、適切に決済処理が完了したことを示す決済結果を示す決済完了通知をアプリサーバ装置２３から通信部７５が受信すると、図７に示す支払い完了通知画面１４０−４をディスプレイ７３に表示する。
【００４０】
処理部７９は、図４に示す第２の画面１４０−１のサービス券表示欄１４４、又は図５に示す第２の画面１４０−２のサービス券表示欄１５４が利用者によって指定操作されると、図８に示すサービス券確認画面１５１をディスプレイ７３に表示する。
【００４１】
図８に示すように、サービス券確認画面１６１は、例えば、サービス券コード入力欄１６３、登録されているサービス券一覧を示すサービス券一覧表示欄１６５、ＱＲコード（登録商標）取得指示入力欄１６７、サービス券使用指示入力欄１６９を有する。
【００４２】
利用者は、サービス券確認画面１６１上でサービス券一覧表示欄１６５に表示されたサービス券のうち使用するサービス券を指定操作した後に、サービス券使用指示入力欄１６９を指定すると、図４に示すサービス券表示欄１４４及び図５に示すサービス券表示欄１５４に使用するサービス券の金額等が表示される。
また、第２の画面１４０−２でサービス券使用指示入力欄１５９が指定操作されると、当該サービス券の金額等を含む支払い指示が端末装置２１からアプリサーバ装置２３に送信される。
【００４３】
処理部７９は、図５に示す第２の画面１４０−２上で決済方法入力欄１５７が指定操作されると図９に示すネット決済確認画面１８１をディスプレイ７３に表示する。
利用者は、ネット決済確認画面１８１上で使用するクレジットカード等の指定操作を行う。
【００４４】
処理部７９は、例えば、メニュー画面（図示せず）において利用履歴表示が入力指示さえると、図１０に示す利用履歴画面１９１をディスプレイ７３に表示する。
利用履歴画面１９１には、利用者が過去に利用した駐車場名と決済方法が表示されている。なお、利用履歴がない場合は、利用履歴画面１９１は図１１に示すような表示となる。
【００４５】
利用者が、図１０に示す利用履歴画面１９１で過去に利用した駐車場名に対応する箇所を指定操作すると、処理部７９は、図１２に示すようにその詳細を示す利用履歴詳細画面２０１をディスプレイ７３に表示する。
【００４６】
［アプリサーバ装置２３］
図２に示すように、アプリサーバ装置２３は、例えば、通信部６１、メモリ６３及び処理部６５を有する。
アプリサーバ装置２３の処理部６５は、端末装置２１と通信を行いながら、上述した端末装置２１のディスプレイ７３に画面を表示する。また、処理部６５は、利用者の操作部７１の操作に応じた指示・要求に応じて、管理サーバ装置１３と通信を行い、管理サーバ装置１３に精算処理等を行わせる。
【００４７】
［動作例］
以下、駐車場精算システム１の全体動作を説明する。
図１３及び図１４は、図１に示す駐車場精算システム１の全体動作を説明するための図である。
ステップＳＴ１：
駐車場内のそれぞれの車室に設けられたフラップ装置１７の車両検出センサ４３が車両が当該車室に入庫したことを検出すると、ステップＳＴ２に進む。
【００４８】
ステップＳＴ２：
フラップ装置１７の処理部４７は、フラップ４１を上げて入庫した車両の出庫を制限する。
【００４９】
ステップＳＴ３：
処理部４７は、駐車場ＩＤ及び車室ＩＤを含む入庫通知を管理サーバ装置１３に送信する。
【００５０】
ステップＳＴ４：
管理サーバ装置１３の処理部５５は、ステップＳＴ３で受信した入庫通知に含まれる駐車場ＩＤ及び車室ＩＤと、入庫時刻情報とを関連付けて入庫情報としてメモリ５３に記録する。
【００５１】
ステップＳＴ５：
端末装置２１の処理部７９は、専用アプリの起動中のトップ画面として、図３に示す第１の画面１２１をディスプレイ７３に表示する。
アプリサーバ装置２３の処理部６５及び端末装置２１の処理部７９は、第１の画面１２１上で第３の指示入力画像１３７が指定操作されると、ステップＳＴ６に進む。
【００５２】
ステップＳＴ６：
端末装置２１の処理部７９は、図４に示す第２の画面１４０−１をディスプレイ７３に表示する。
そして、利用者が第２の画面１４０−１上で駐車場名入力欄１４２に駐車場名を入力し、車室番号入力欄１４３に車両を駐車した車室番号を入力する。
【００５３】
ステップＳＴ７：
端末装置２１の処理部７９は、第２の画面１４０−１上で利用者が料金確認指示入力欄１４５を指定すると、入力された駐車場ＩＤと車室ＩＤを含む駐車料金計算要求を、通信部７５を介してアプリサーバ装置２３に送信する。
【００５４】
ステップＳＴ８：
管理サーバ装置１３の処理部５５は、ステップＳＴ７で通信部５１が受信した駐車料金計算要求に含まれる駐車場ＩＤと車室ＩＤと、ステップＳＴ４でメモリ５３に記録した入庫時刻情報とを基に、当該車両の駐車料金を計算する。
【００５５】
ステップＳＴ９：
処理部５５は、ステップＳＴ８で計算した駐車料金情報を含む駐車料金通知をアプリサーバ装置２３に送信する。
【００５６】
ステップＳＴ１０
端末装置２１の処理部７９は、ステップＳＴ９で通信部７５がアプリサーバ装置２３から駐車料金通知を受信すると、図５に示す第２の画面１４０−２をディスプレイ７３に表示する。
【００５７】
ステップＳＴ１１：
利用者の操作によって、決済方法入力欄１５７に決済方法が入力される。
また、処理部７９は、サービス券表示欄１５４で使用するサービス券が利用者によって指定された場合には、サービス券表示欄１５４に指定されたサービス券情報を表示すると共に、アプリサーバ装置２３から受信した駐車料金通知が示す駐車料金から、指定されたサービス券の金額を差し引いた額を支払い金額として支払金額表示欄１５５に表示する。
処理部７９は、第２の画面１４０−２上で支払指示入力欄１５９が指定されると、ステップＳＴ１２に進む。
【００５８】
ステップＳＴ１２：
端末装置２１の処理部７９は、第２の画面１４０−２で指定されたサービス券情報と決済方法情報とを含む支払い指示を、通信部７５を介してアプリサーバ装置２３に送信する。
アプリサーバ装置２３は、当該支払い指示を管理サーバ装置１３に送信する。
【００５９】
ステップＳＴ１３：
管理サーバ装置１３の処理部５５は、ステップＳＴ１２で通信部５１が受信した支払い指示を基に、指定された決済先の決済サーバ装置１５と通信をして決済処理を行う。
【００６０】
ステップＳＴ１４：
管理サーバ装置１３の処理部５５は、決済処理が終了すると、決済結果を示す決済完了通知をアプリサーバ装置２３を介して端末装置２１に送信する。
【００６１】
ステップＳＴ１５：
処理部５５は、決済に関係する利用者の車両が駐車された駐車場の車室のフラップ装置１７にフラップ下降指示を出力する。
【００６２】
ステップＳＴ１６：
フラップ装置１７の処理部４７は、ステップＳＴ１５で通信部４５が受信したフラップ下降指示を基に、フラップ４１を下降させ、出庫可能にする。
【００６３】
以上説明したように、駐車場精算システム１によれば、管理サーバ装置１３とアプリサーバ装置２３とが個別に設けられているため、アプリサーバ装置２３が複数の管理サーバ装置１３と通信を行い、複数の駐車場運用会社の駐車場精算処理を一括して行うことができる。そのため、利用者は、アプリサーバ装置２３の運用会社のアプリサービスを利用することで、複数の駐車場運用会社の駐車場の精算処理を一つのアプリで行うことができ、便利である。
【００６４】
また、駐車場精算システム１によれば、駐車場精算処理に伴う上述した様々な画面を端末装置２１のディスプレイ７３に表示することから、駐車場精算処理をスムーズに行うことができる。
【００６５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６６】
上述した実施形態では、入庫時には端末装置２１の専用アプリによる処理はされないが、当該専用アプリが何等かの入庫処理及び出庫処理をするようにしてもよい。
【００６７】
また、上述した実施形態では、決済時に、端末装置２１がアプリサーバ装置２３及び管理サーバ装置１３を介して決済サーバ装置１５と決済処理をする場合を例示したが、端末装置２１が決済サーバ装置１５に直接決済処理したり、アプリサーバ装置２３が決済サーバ装置１５と決済処理をするようにしてもよい。
【００６８】
また、上述した実施形態では、車室識別情報を用いた場合を例示したが、車両のナンバ等の車両識別情報を用いてもよい。この場合には、駐車場に設置されたカメラによって車両の車両識別情報を読み取って駐車料金の精算処理に用いる。
【００６９】
また、上述した実施形態では、利用者が図４に示す第２の画面１４０−１の駐車場名入力欄１４２及び車室番号入力欄１４３で駐車場情報及び車室番号の入力をする場合例示したが、端末装置２１の位置検出システムあるいはフラップ装置１７との通信等により、これらの情報の少なくとも一つを自動的に設定、あるいは選択できるようにしてもよい。
また、管理サーバ装置１３が車室候補を提供するようにしてもよい。
【００７０】
また、端末装置２１とアプリサーバ装置２３との通信を一部を、端末装置２１が管理サーバ装置１３と直接するようにしてもよい。
【産業上の利用可能性】
【００７１】
本発明は駐車場管理システムに適用可能である。
【符号の説明】
【００７２】
１…駐車場精算システム
１３…管理サーバ装置
５１…通信部
５３…メモリ
５５…処理部
１５…決済サーバ装置
１７…フラップ装置
４１…フラップ
４３…車両検出センサ
４５…通信部
４７…処理部
２１…端末装置
７１…操作部
７３…ディスプレイ
７５…通信部
７７…メモリ
７９…処理部
２３…アプリサーバ装置
６１…通信部
６３…メモリ
６５…処理部
１２１…第１の画面
１３１…地図表示領域
１３３…第１の指示入力画像
１３５…第２の指示入力画像
１３７…第３の指示入力画像
１４０−１…第２の画面
１４１…地図情報表示欄
１４２…駐車場名入力欄
１４３…車室番号入力欄
１４４…サービス券表示欄
１４５…支払い完了通知画面
１４０−２…第２の画面
１５１…地図情報表示欄
１５２…駐車場名表示欄
１５３…車室番号表示欄
１５４…サービス券表示欄
１５５…支払金額表示欄
１５６…入出庫時刻表示欄
１５７…決済方法入力欄
１５８…料金再確認指示入力欄
１５９…支払指示入力欄
１４０−３…確認画面
１４０−４…完了通知画面
１６１…サービス券確認画面
１６３…サービス券コード入力欄
１６５…サービス券一覧表示欄
１６７…ＱＲコード（登録商標）取得指示入力欄
１６９…サービス券使用指示入力欄
１８１…ネット決済確認画面
１９１…利用履歴画面
２０１…利用履歴詳細画面
【要約】
【課題】  駐車場の複数の管理事業者がある場合でも、一つのサービスで駐車料金の精算を端末装置で容易に行うことができる駐車場精算システムを提供する。
【解決手段】  端末装置２１で、利用者が精算指示を出すと、駐車場ＩＤ及び車室ＩＤがアプリサーバ装置２３を介して管理サーバ装置１３に送信され、駐車料金が計算、「端末装置２１に表示される。端末装置２１から支払い指示がされると、アプリサーバ装置２３を介してその指示が管理サーバ装置１３に送信され、決済処理がされる。決済処理が終了すると、フラップ板が下ろされる。
【選択図】図２【図１】
0006829849.tif 000002
【図２】
0006829849.tif 000003
【図３】
0006829849.tif 000004
【図４】
0006829849.tif 000005
【図５】
0006829849.tif 000006
【図６】
0006829849.tif 000007
【図７】
0006829849.tif 000008
【図８】
0006829849.tif 000009
【図９】
0006829849.tif 000010
【図１０】
0006829849.tif 000011
【図１１】
0006829849.tif 000012
【図１２】
0006829849.tif 000013
【図１３】
0006829849.tif 000014
【図１４】
0006829849.tif 000015